(57)【要約】      （修正有）【課題】椅子に腰掛けたときや、椅子から立ち上がるとき等の立ち居振る舞う際に、裏地が見えにくいスカートを提供する。【解決手段】表地１２と、表地の裏側に設けられる裏地１３とを有するスカート１１であって、裏地は、表地の曲線形状のライン１４に沿った、曲線形状のライン２２をもって形成され、裏地の下端部２７は、表地の裾部２３内側の縫い代近傍に連結糸を介して連結されており、連結糸で連結した連結部２６は、裏地の下端部に沿って所要の間隔を開けて４箇所以上、６箇所以上又は８箇所以上設ける。【選択図】図１
0003186091.tif 000002
【実用新案登録請求の範囲】
【請求項１】
表地と、該表地の裏側に設けられる裏地とを有するスカートであって、
該裏地は、前記表地の曲線形状のラインに沿った、曲線形状のラインをもって形成され、
前記裏地の下端部は、前記表地の裾部内側の縫い代近傍に連結糸を介して連結されており、
該連結糸で連結した連結部は、前記裏地の下端部に沿って所要の間隔を開けて４箇所以上、６箇所以上又は８箇所以上設けたこと
を特徴とするスカート。
【請求項２】
前記裏地の丈は、前記表地の裾部内側の縫い代近傍と同様な丈に形成されていること
を特徴とする請求項１に記載のスカート。
【考案の詳細な説明】
【技術分野】
【０００１】
本考案は、スカートに関するものであり、更に詳しくは、階段の上り下りや、椅子に腰掛けたとき、椅子から立ち上がるとき等の立ち居振る舞う際に、裏地が見えにくいスカートに関するものである。
【背景技術】
【０００２】
従来、裏地を有するスカートとしては、次のような構成のものが知られている。このスカートは、表地の裏側に設ける裏地を、外側の中裏地と内側の内裏地との二重構造に形成し、内裏地を中裏地よりも短い丈に形成した構成である（特許文献１参照）。
【０００３】
このような構成のスカートは、下着と接する内裏地の動きが表地に直接伝わらないので、表地に皺が寄りにくくなるという利点がある。
【０００４】
また、この特許文献１に開示されてはいないが、通常は中裏地の下端部と表地の裏側とを連結糸（衣料業界では「セッパ」又は「糸ループ」と言われている）で連結した連結部を２箇所に設けている。
【０００５】
なお、実用新案登録第３１２７８１６号公報には、裏地を備えるタイトスカートの考案が開示されており（特許文献２参照）、実開平７−２１７１６号公報には、裏地付きスカートの考案が開示されている（特許文献３参照）。
【先行技術文献】
【特許文献】
【０００６】
【特許文献１】実用新案登録第３０５２９８１号公報
【特許文献２】実用新案登録第３１２７８１６号公報
【特許文献３】実開平７−２１７１６号公報
【考案の概要】
【考案が解決しようとする課題】
【０００７】
従来例の裏地を有するスカートにおいては、表地の曲線形状と裏地の形状とが必ずしも一致した曲線形状に形成されておらず、また、表地と裏地とは２箇所を連結糸（セッパ）で連結しているだけなので、表地と裏地とが一体的ではなくバラツキが生じ易い。従って、階段の上り下りや、椅子に腰掛けたとき、椅子から立ち上がるとき等の立ち居振る舞う際には、裏地が見え易くて、見苦しいという欠点を有している。
【０００８】
特に、金融機関の窓口等においては、職員のスカートの裏地が見え易いと、見苦しいだけでなく、だらしないという悪い印象を与えかねず、注意を要するのである。
【０００９】
従って、従来例における裏地を有するスカートにおいては、着用者が階段の上り下りや、椅子に腰掛けたり立ち上がる等の立ち居振る舞う際に、裏地が見えにくい構造にすることに解決しなければならない課題を有している。
【課題を解決するための手段】
【００１０】
前記従来例の課題を解決するための本考案の要旨は、表地と、該表地の裏側に設けられる裏地とを有するスカートであって、該裏地は、前記表地の曲線形状のラインに沿った、曲線形状のラインをもって形成され、前記裏地の下端部は、前記表地の裾部内側の縫い代近傍に連結糸を介して連結されており、該連結糸で連結した連結部は、前記裏地の下端部に沿って所要の間隔を開けて４箇所以上、６箇所以上又は８箇所以上設けたことである。
【００１１】
また、前記裏地の丈は、前記表地の裾部内側の縫い代近傍と同様な丈に形成されていること、；
を含むものである。
【考案の効果】
【００１２】
本考案に係るスカートによれば、裏地が表地の曲線形状のラインに沿った、曲線形状のラインをもって形成され、また、裏地の下端部の連結部を所要の間隔を開けて４箇所以上、６箇所以上又は８箇所以上設けたので、表地と裏地とが一体的にバラツキなく形成される。従って、着用者が階段の上り下りや、椅子に腰掛けたり立ち上がる等の立ち居振る舞う際に、裏地が見えにくいという優れた効果を奏する。
【００１３】
そして、スカートの裏地が見えにくいので、着用者自身も無用なストレスに晒させることがなく、ひと目を気にすることなく自然で自由な振る舞いが可能となるという優れた効果を奏する。
【図面の簡単な説明】
【００１４】
【図１】本考案に係るスカート（マーメイドラインスカート）１１の前身頃を示す正面図である。
【図２】本考案に係るスカート（マーメイドラインスカート）１１の後身頃を示す正面図である。
【図３】ウエスト部１５の裏側の一部を示す説明図である。
【図４】裾部２３の裏側の一部を示す説明図である。
【図５】連結部２６を拡大して示す説明図である。
【図６】本考案に係るスカート（フレアスカート）３１の前身頃を示す正面図である。
【図７】本考案に係るスカート（フレアスカート）３１の後身頃を示す正面図である。
【図８】本考案に係るスカート（Ａラインスカート）４１の前身頃を示す正面図である。
【図９】本考案に係るスカート（Ａラインスカート）４１の後身頃を示す正面図である。
【考案を実施するための形態】
【００１５】
次に、本考案の実施の形態について図面を参照しながら説明する。まず、図１及び図２において、符号１１はスカート（マーメイドラインスカート）を示し、このスカート１１は、表地１２と、表地１２の裏側に設けられる裏地１３とから概略構成される。
【００１６】
表地１２は、図１及び図２に示すように、マーメイドラインの名称の由来の如く、人魚を思わせるようカーブしたライン１４に沿った曲線形状に形成されている。
【００１７】
裏地１３は、図３に示すように、ウエスト部１５の裏側の縫着部１６に沿って縫着されている。図３中の符号１７は開閉口を示し、符号１８はスライドファスナーを示し、符号１９はフック及びフック受けを示し、符号２０は吊りテープを示し、符号２１はロック処理した縫着線を示す。
【００１８】
また、裏地１３は、図１及び図２の破線で示すように、表地１２の曲線形状のライン１４に沿った、曲線形状のライン２２をもって形成されている。
【００１９】
裏地１３の下端部２７は、図４及び図５に示すように、表地１２の裾部２３内側に設けられる縫い代２４及び縫い代２８の近傍に、連結糸２５を介して連結されている。連結糸２５は、衣料業界では「セッパ」又は「糸ループ」と言われており、約３ｃｍ程度の長さに形成されている。
【００２０】
このように、縫い代２８の近傍に連結糸２５で連結した連結部２６は、図１及び図２に示すように、裏地１３の下端部２７に沿って所要の間隔を開けて４箇所以上、６箇所以上又は８箇所以上設けられている。なお、図１中の符号２９はポケット口を示す。
【００２１】
裏地１３の丈は、図１、図２及び図４に示すように、表地１２の裾部２３内側の縫い代２４の近傍と同様な丈に形成されている。このような長さに裏地１３の丈が形成されることによって、表地１２と裏地１３との一体性がさらに良好となる。
【００２２】
以上のように構成されるスカート１１は、裏地１３が表地１２の曲線形状のライン１４に沿った曲線形状に形成され、また、裏地１３の下端部２７の連結部２６を、所要の間隔を開けて４箇所以上、６箇所以上又は８箇所以上設けたので、表地１２と裏地１３とが一体的にバラツキなく形成される。
【００２３】
従って、着用者が椅子に腰掛けたり立ち上がる等の立ち居振る舞う際に、裏地１３が見えにくいので、着用者自身も無用なストレスに晒させることがなく、ひと目を気にすることなく自然で自由に振る舞うことができる。
【００２４】
次に、図６及び図７にフレアスカート３１を示す。フレアスカート３１は、裾部３２が波打っているような広がりのある形状に形成されており、表地３３は広がってカーブした曲線形状のライン３４に沿って形成されている。
【００２５】
また、裏地３５は、図６及び図７の破線で示すように、表地３３の曲線形状のライン３４に沿った、曲線形状のライン３６をもって形成されている。
【００２６】
裏地３５の下端部３７は、マーメイドラインスカート１１の場合と同様に、表地３３の裾部３２内側に設けられる縫い代の近傍に、連結糸を介して連結されている（図４及び図５参照）。このように連結糸で連結した連結部３９は、裏地３５の下端部３７に沿って所要の間隔を開けて４箇所以上、６箇所以上又は８箇所以上設けられている。
【００２７】
このように、表地３３と裏地３５とが一体的にバラツキなく形成されるので、着用者が椅子に腰掛けたり立ち上がる等の立ち居振る舞う際に裏地３５が見えにくい。
【００２８】
また、裏地３５の丈は、表地３３の裾部３２内側の縫い代の近傍と同様な丈に形成されている。このような長さに裏地３５の丈が形成されることによって、表地３３と裏地３５との一体性がさらに良好となり、両者のバラツキがなく形成される。
【００２９】
次に、図８及び図９にＡラインスカート４１を示す。Ａラインスカート４１は、Ａの字形に裾部４２に向かうにつれて広がる形状に形成されており、表地４３は広がってカーブした曲線形状のライン４４に沿って形成されている。
【００３０】
また、裏地４５は、図８及び図９の破線で示すように、表地４３の曲線形状のライン４４に沿った、曲線形状のライン４６をもって形成されている。
【００３１】
裏地４５の下端部４７は、マーメイドラインスカート１１の場合と同様に、表地４３の裾部４２内側に設けられた縫い代の近傍に、連結糸を介して連結されている（図４及び図５参照）。このように連結糸で連結した連結部４９は、裏地４５の下端部４７に沿って所要の間隔を開けて４箇所以上、６箇所以上又は８箇所以上設けられている。
【００３２】
このように、表地４３と裏地４５とが一体的にバラツキなく形成されるので、着用者が椅子に腰掛けたり立ち上がる等の立ち居振る舞う際に裏地４５が見えにくい。
【００３３】
また、裏地４５の丈は、表地４３の裾部４２内側の縫い代の近傍と同様な丈に形成されている。このような長さに裏地４５の丈が形成されることによって、表地４３と裏地４５との一体性がさらに良好となり、両者のバラツキがなく形成される。
【符号の説明】
【００３４】
１１  スカート（マーメイドラインスカート）
１２  表地
１３  裏地
１４  ライン
１５  ウエスト部
１６  縫着部
１７  開閉口
１８  スライドファスナー
１９  フック及びフック受け
２０  吊りテープ
２１  縫着線
２２  ライン
２３  裾部
２４  縫い代
２５  連結糸
２６  連結部
２７  下端部
２８  縫い代
２９  ポケット口
３１  スカート（フレアスカート）
３２  裾部
３３  表地
３４  ライン
３５  裏地
３６  ライン
３７  下端部
３９  連結部
４１  スカート（Ａラインスカート）
４２  裾部
４３  表地
４４  ライン
４５  裏地
４６  ライン
４７  下端部
４９  連結部
【図１】
0003186091.tif 000003
【図２】
0003186091.tif 000004
【図３】
0003186091.tif 000005
【図４】
0003186091.tif 000006
【図５】
0003186091.tif 000007
【図６】
0003186091.tif 000008
【図７】
0003186091.tif 000009
【図８】
0003186091.tif 000010
【図９】
0003186091.tif 000011